(57)【要約】【課題】学生の実験実習の取り組みを把握することにより的確に学生を評価できるプロジェクト科目支援サーバを提供する。【解決手段】企業担当者端末６からプロジェクト科目の実習テーマに関する信号を受信し、実習テーマの中から担当教員端末から選択された実習テーマについて受信日時に関連づけ、実習テーマ登録情報１３１として記憶する実習テーマ登録手段１１１と、学生が申し込んだ実習テーマに基づいて申込情報１３４を作成する実習テーマ選択手段１１２と、学生から実習テーマに関する進捗情報を含む信号を受信し、受信日時に関連づけて実習履歴１３６として記憶するとともに、学生端末３、企業担当者端末６及び担当教員端末４からの閲覧リクエストに応じてそれぞれの端末に提示する信号を生成して送信する実習手段１１３と、学生に対する評価に基づく信号を担当教員端末４から受信して評価情報１４０として記憶する評価手段１１４を備える。【選択図】図１
2005228253.tif 000002
【特許請求の範囲】
【請求項１】
企業担当者端末からプロジェクト科目の実習テーマに関する信号を受信し、前記実習テーマの中から担当教員端末から選択された前記実習テーマについて受信日時に関連づけ、データ記憶装置に実習テーマ登録情報として記憶するとともに、前記企業担当者端末から企業担当者に関する信号を受信し、前記データ記憶装置に企業担当者情報として記憶する実習テーマ登録手段と、
学生端末からの閲覧リクエストに応じて前記実習テーマ登録情報を読み出し前記学生端末に提示する信号を生成して送信するとともに、前記学生端末から前記実習テーマの申込に基づく信号を受信し、前記実習テーマの申込の信号に基づいてそれぞれの学生が申し込んだ実習テーマに基づいて申込情報を作成してデータ記憶装置に記憶する実習テーマ選択手段と、
前記学生から前記実習テーマに関する進捗情報を含む信号を受信し、受信日時に関連づけて前記データ記憶装置に実習履歴情報として記憶するとともに、前記学生端末、前記企業担当者端末及び前記担当教員端末からの閲覧リクエストに応じて前記実習履歴情報を読み出しそれぞれの端末に提示する信号を生成して送信する実習手段と、
前記企業担当者端末から前記学生の評価に基づく信号を受信し、更に前記実習履歴情報を読み出して前記担当教員端末に提示するとともに、前記学生に対する評価に基づく信号を前記担当教員端末から受信して前記データ記憶装置に評価情報として記憶する評価手段
とを備えることを特徴とするプロジェクト科目支援サーバ。
【請求項２】
前記実習テーマ登録情報は、前記実習テーマに参加できる定員数及び登録人数が含まれており、
前記実習テーマ選択開始手段は、前記学生端末から申し込まれた前記実習テーマの信号を受信する度に、前記登録人数をインクリメントし、前記学生端末からの閲覧リクエストに応じて前記実習テーマ登録情報を読み出し前記学生端末に提示する際に、前記登録人数及び前記定員数に基づく信号も送信し前記学生端末に提示する
ことを特徴とする請求項１に記載のプロジェクト科目支援サーバ。
【請求項３】
企業担当者端末からプロジェクト科目の実習テーマに関する信号を受信し、前記実習テーマの中から担当教員端末から選択された前記実習テーマについて受信日時に関連づけ、データ記憶装置に実習テーマ登録情報として記憶するステップと、
前記企業担当者端末から企業担当者に関する信号を受信し、前記データ記憶装置に企業担当者情報として記憶するステップと、
学生端末からの閲覧リクエストに応じて前記実習テーマ登録情報を読み出し前記学生端末に提示する信号を生成して送信するステップと、
前記学生端末から前記実習テーマの申込に基づく信号を受信し、前記実習テーマの申込の信号に基づいてそれぞれの学生が申し込んだ実習テーマの申込に基づいて申込情報を作成してデータ記憶装置に記憶するステップと、
前記学生から前記実習テーマに関する進捗情報を含む信号を受信し、受信日時に関連づけて前記データ記憶装置に実習履歴情報として記憶するステップと、
前記学生端末、前記企業担当者端末及び前記担当教員端末からの閲覧リクエストに応じて前記実習履歴情報を読み出しそれぞれの端末に提示する信号を生成して送信するステップと、
前記企業担当者端末から前記学生の評価に基づく信号を受信し、更に前記実習履歴情報を読み出して前記担当教員端末に提示するステップと、
前記学生に対する評価に基づく信号を前記担当教員端末から受信して前記データ記憶装置に評価情報として記憶するステップ
とをコンピュータに実行させることを特徴とするプロジェクト科目支援プログラム。
【請求項４】
前記実習テーマ登録情報は、前記実習テーマに参加できる定員数及び登録人数が含まれており、
前記学生端末から申し込まれた前記実習テーマの信号を受信する度に、前記登録人数をインクリメントし、前記学生端末からの閲覧リクエストに応じて前記実習テーマ登録情報を読み出し前記学生端末に提示する際に、前記登録人数及び前記定員数に基づく信号も送信し前記学生端末に提示するステップ
を更にコンピュータに実行させることを特徴とする請求項３に記載のプロジェクト科目支援プログラム。
【発明の詳細な説明】
【技術分野】
【０００１】
本発明は、大学などの教育機関において、企業で行われている調査や開発、試験、試作及び実務など、定められたテーマに基づく実験実習を支援するプロジェクト科目支援サーバ及びプロジェクト科目支援プログラムに関する。
【背景技術】
【０００２】
近年の学生の就職活動において、企業で働き、就職活動する際の企業研究や業種選び、又学校で学ぶべきことを明確にできるインターン制度が頻繁に行われている。このインターン制度は、学生にとっては、企業や仕事に対する理解が深まる、実社会への適応能力が身に付く、会社で実際に働くことで自分の将来のビジョンが見え大学で何を学ぶべきかを明確にできる、などのメリットがあるとともに、企業にとっては、自社に適した学生とつながりを持つことができる、学生の斬新な意見を事業などに採り入れることができる、大学等との接点が増え連携が深まる、などのメリットがある。
【０００３】
一方このインターン制度を導入し、学生の履修科目として評価することにより、教育機関にとっても、系統的に学習した内容や複数の異なる分野の授業科目の学習内容を総合して実践する授業機会を得ることができるメリットがある。更に企業から与えられた実験実習について、各自或いは各グループが創意工夫を発揮し又試行錯誤を重ねて問題解決へのプロセスを体験するとともに、その体験を通して社会と個人、そして学習とのつながりを、学生に理解させることができる。
【０００４】
この様なインターン制度を学校教育に導入し、単位を付与するシステムがある（例えば、特許文献１）。この特許文献１においては、企業がその企業に就労した学生に、所定のポイント数が累積した場合に単位の付与が認められる単位ポイント数の付与を認めるか否かの情報を企業端末から受信し、企業が学生に単位ポイント数の付与を認めた場合に学校もその単位ポイント数の付与を認めるか否かの情報を学校端末から受信し、最終的に学生に単位ポイント数の付与を認めるか否かの判定を行う。
【特許文献１】特開２００２−２８８４６４号公報
【発明の開示】
【発明が解決しようとする課題】
【０００５】
しかし、特許文献１に記載した従来のシステムにおいては、学生の実習が単位を与えるに値するか否かの判定を教育機関が行う場合、企業から取得した判定結果に基づくので、例えば以下のような問題点がある。まず、企業から取得する判定結果は、企業ごとに判断基準が異なり、全ての学生に対して同一の判断基準で判定されない場合もある。又、企業から与えられる実験実習は全て同じ難易度でなく、教育機関はそれを考慮して単位の付与を決定することができない。
【０００６】
上記問題を解決するために、本発明は、学生の実験実習の取り組みを把握することにより的確に学生を評価できるプロジェクト科目支援サーバ及びプロジェクト科目支援プログラムを提供することを目的とする。
【課題を解決するための手段】
【０００７】
上記課題を解決するために、本発明の第１の特徴に係るプロジェクト科目支援サーバは、企業担当者端末からプロジェクト科目の実習テーマに関する信号を受信し、受信日時に関連づけて実習テーマの中から担当教員端末から選択された実習テーマについてデータ記憶装置に実習テーマ登録情報として記憶するとともに、企業担当者端末から企業担当者に関する信号を受信し、データ記憶装置に企業担当者情報として記憶する実習テーマ登録手段と、学生端末からの閲覧リクエストに応じて実習テーマ登録情報を読み出し学生端末に提示する信号を生成して送信するとともに、学生端末から実習テーマの申込に基づく信号を受信し、実習テーマの申込の信号に基づいてそれぞれの学生が申し込んだ実習テーマに基づいて申込情報を作成してデータ記憶装置に記憶する実習テーマ選択手段と、学生から実習テーマに関する進捗情報を含む信号を受信し、受信日時に関連づけてデータ記憶装置に実習履歴情報として記憶するとともに、学生端末、企業担当者端末及び担当教員端末からの閲覧リクエストに応じて実習履歴情報を読み出しそれぞれの端末に提示する信号を生成して送信する実習手段と、企業担当者端末から学生の評価に基づく信号を受信し、更に実習履歴情報を読み出して担当教員端末に提示するとともに、学生に対する評価に基づく信号を担当教員端末から受信してデータ記憶装置に評価情報として記憶する評価手段とを備える。
【０００８】
この様な本発明の第１の特徴に係るプロジェクト科目支援サーバによれば、学生のプロジェクト科目の実習テーマの申込から学生の評価までを一元管理し、更に学生のプロジェクト科目の実習状況を、学生、担当教員及び企業担当者の間で共有できるので、学生へ適切にアドバイスを行い、その学生の作業を評価することができる。
【０００９】
又、実習テーマ登録情報は、実習テーマに参加できる定員数及び登録人数が含まれており、実習テーマ選択開始手段は、学生端末から申し込まれた実習テーマの信号を受信する度に、登録人数をインクリメントし、学生端末からの閲覧リクエストに応じて実習テーマ登録情報を読み出し学生端末に提示する際に、登録人数及び定員数に基づく信号も送信し学生端末に提示することが好ましい。
【００１０】
これによると、学生からの申込状況を学生に開示することにより、学生との間で自然と人数調整が働き、学生それぞれが希望する実習テーマを選択しやすくなる。
【００１１】
本発明の第２の特徴に係るプロジェクト科目支援プログラムは、企業担当者端末からプロジェクト科目の実習テーマに関する信号を受信し、受信日時に関連づけて実習テーマの中から担当教員端末から選択された実習テーマについてデータ記憶装置に実習テーマ登録情報として記憶するステップと、企業担当者端末から企業担当者に関する信号を受信し、データ記憶装置に企業担当者情報として記憶するステップと、学生端末からの閲覧リクエストに応じて実習テーマ登録情報を読み出し学生端末に提示する信号を生成して送信するステップと、学生端末から実習テーマの申込に基づく信号を受信し、実習テーマの申込の信号に基づいてそれぞれの学生が申し込んだ実習テーマの申込に基づいて申込情報を作成してデータ記憶装置に記憶するステップと、学生から実習テーマに関する進捗情報を含む信号を受信し、受信日時に関連づけてデータ記憶装置に実習履歴情報として記憶するステップと、学生端末、企業担当者端末及び担当教員端末からの閲覧リクエストに応じて実習履歴情報を読み出しそれぞれの端末に提示する信号を生成して送信するステップと、企業担当者端末から学生の評価に基づく信号を受信し、更に実習履歴情報を読み出して担当教員端末に提示するステップと、学生に対する評価に基づく信号を担当教員端末から受信してデータ記憶装置に評価情報として記憶するステップとをコンピュータに実行させる。
【００１２】
又、実習テーマ登録情報は、実習テーマに参加できる定員数及び登録人数が含まれており、学生端末から申し込まれた実習テーマの信号を受信する度に、登録人数をインクリメントし、学生端末からの閲覧リクエストに応じて実習テーマ登録情報を読み出し学生端末に提示する際に、登録人数及び定員数に基づく信号も送信し学生端末に提示するステップを更にコンピュータに実行させることが好ましい。
【発明の効果】
【００１３】
本発明によれば、学生の実験実習の取り組みを把握することにより的確に学生を評価できるプロジェクト科目支援サーバ及びプロジェクト科目支援プログラムを提供することができる。
【発明を実施するための最良の形態】
【００１４】
次に、図面を参照して、本発明の実施の形態を説明する。以下の図面の記載において、同一又は類似の部分には同一又は類似の符号を付している。
【００１５】
本発明においては、この様な学生が企業から与えられた実習実験に取り組み、その結果単位が与えられる履修科目をプロジェクト科目と呼ぶ。このプロジェクト科目は、新入社員等を想定するか通常のアルバイトなどに依頼する程度の内容が扱われ、社内等で社員の手を煩わすほどではないが、やっておくといずれ役に立つであろうと考えられるようなものが適している。又、プロジェクト科目を履修する年次などに応じて、その難易度や目的は設定される基礎プロジェクト科目や開発型プロジェクト科目などに分別されても良い。又、このプロジェクト科目の実習テーマは、企業以外の教員や一般の人などから提示されても良い。
【００１６】
（プロジェクト科目支援サーバ）
図１に示すように、本発明の最良の実施の形態に係るプロジェクト科目支援サーバ１は、中央処理制御装置１００、アプリケーションプログラム記憶装置１２０、データ記憶装置１３０、通信制御装置１５１、入力装置１５２、表示装置１５３、入出力制御装置１５４を備えている。
【００１７】
アプリケーションプログラム記憶装置１２０は、実習テーマ登録プログラム、実習テーマ選択・実習開始プログラム、実習プログラム及び評価プログラムが記憶されている。
【００１８】
データ記憶装置１３０は、実習テーマ登録情報１３１、実習テーマ詳細情報１３２、実習テーマ概要情報１３３、申込情報１３４、企業担当者情報１３５、実習履歴１３６、進捗情報１３７、実習成果物１３８、実習事例ライブラリ１３９及び評価情報１４０を備えている。
【００１９】
アプリケーションプログラム記憶装置１２０及びデータ記憶装置１３０は、例えばコンピュータの外部メモリ装置、半導体メモリ、磁気ディスク、光ディスク、光磁気ディスク、磁気テープなどの記録媒体に記録されている。ここで記録媒体とは、具体的には、フレキシブルディスク、ハードディスク、ＣＤ−ＲＯＭ，ＭＯディスク、カセットテープ、オープンリールテープなどに所定の電子信号が記録されることによって実現される。
【００２０】
中央処理制御装置１００は、アプリケーションプログラム記憶装置１２０に記憶されたデータ信号をプログラムロード手段１０１によって読み出しメモリにロードすることにより、中央処理制御装置１００にアプリケーション実行手段１１０を実装する。更に、プログラムに記録された処理コマンドに基づいてデータベース管理手段１０２を介してデータ記憶装置１３０を読み出してメモリにロードすることにより、プログラムで指示された処理を実行する処理装置である。アプリケーション実行手段１１０は、アプリケーションプログラム記憶装置１２０に記憶された実習テーマ登録プログラム１２１、実習テーマ選択プログラム１２２、実習プログラム１２３及び評価プログラム１２４は、プログラムロード手段１０１によって中央処理制御装置１００で処理されることにより、それぞれ実習テーマ登録手段１１１、実習テーマ選択手段１１２、実習手段１１３及び評価手段１１４が実装される。それぞれの手段の詳細については後述する。
【００２１】
通信制御装置１５１は、プロジェクト科目支援サーバ１が通信ネットワークに接続するためのインタフェースとなる装置で、ＬＡＮカード、ＬＡＮボードなどのことである。入力装置１５２は、プロジェクト科目支援サーバ１に対して入力信号を生成する装置であって、キーボード、マウスなどのことである。表示装置１５３は、プロジェクト科目支援サーバ１の出力信号に基づいてプロジェクト科目支援サーバ１が提示する画面を表示する装置であって、液晶ディスプレイ、ＣＲＴディスプレイなどのことである。入出力制御装置１５４は、プロジェクト科目支援サーバ１の入力信号及び出力信号を制御し、中央処理制御装置１００に伝達する装置である。
【００２２】
（プロジェクト科目支援システム）
図２を参照して本発明の最良の実施の形態に係るプロジェクト科目支援サーバ１を用いたプロジェクト科目支援システムを説明する。プロジェクト科目支援サーバ１は、大学などの教育機関の学内に設置され、システムの管理者端末２、実習を行う学生の学生端末３ａ、学生が行う実習の進捗を把握し評価を行う担当教員端末４、学内ネットワーク８から学外ネットワーク９への接続を仲介するファイアウォール５へ、学内ネットワーク８を介して接続されている。一方、学外ネットワーク９には、自宅などの学外から学生がプロジェクト科目支援サーバ１に接続する学生端末３ｂ、企業担当者によって実習テーマの登録や学生の評価が行われる企業担当者端末６、学生の実習実績などを参照する一般端末７を備えている。
【００２３】
図１に示したデータ記憶装置１３０に記憶されたそれぞれのデータには、図３に示すように、データベース管理手段１０２によって端末ごとに、アクセス制限が設定されている。
【００２４】
（実習テーマ登録手段）
実習テーマ登録手段１１１は、図４に示すように企業担当者端末６からプロジェクト科目の実習テーマに関する信号を受信し、実習テーマの中から担当教員端末４から選択された実習テーマについて受信日時に関連づけ、データ記憶装置１３０に実習テーマ登録情報１３１として記憶するとともに、企業担当者端末６から企業担当者に関する信号を受信し、データ記憶装置１３０に企業担当者情報１３５として記憶する手段である。実習テーマ登録手段１１１は、企業に対して実習テーマの公募を行う。又、実習テーマを学生端末３及び担当教員端末４に対して提示するための、企業情報や実習テーマなど各種情報の電子的な管理業務を行う。
【００２５】
実習テーマ登録情報１３１は、図５に示したデータ構成を備え、実習テーマの登録時に企業担当者端末６或いは担当教員端末４により生成される情報である。この情報を元に、実習テーマ詳細情報１３２及び実習テーマ概要情報１３３が生成される。
【００２６】
実習テーマ詳細情報１３２は、図６に示したデータ構成を備え、実習テーマ登録情報に基づいて、管理者端末２によって登録される。実習テーマ詳細情報１３２は、実習の遂行に関する属性情報、例えば、実習の開始／終了日、参加している学生等の情報を保持する。この実習テーマ詳細情報１３２は、そのテーマを提供した企業担当者端末６のみ閲覧可能である。又、秘匿性が要求される情報に関しては、学生端末３への無制限開示は控え、担当教員端末４を経由して開示される。更に、図示しないが、担当教員によって実習テーマの募集期間が設定された場合、第１希望から第３希望のそれぞれの募集期間が登録されても良い。
【００２７】
実習テーマ概要情報１３３は、図７に示したデータ構成を備え、学生端末３に参照させ、学生に実習テーマを選択させるために提示する情報である。実習テーマ概要情報１３３に格納される情報は、実習テーマ詳細情報１３２に対応し、簡略化したものである。
【００２８】
企業担当者情報１３５は、図８に示したデータ構成を備え、企業担当者の属性を保持する情報である。この情報は企業の担当者ごとに保持され、例えば電子メールアドレスで一意に識別される。
【００２９】
次に図４を参照して、実習テーマ登録手段１１１の処理について詳述する。  
まず、ステップＳ１０１において、企業担当者端末６から実習テーマの提供を受けるとともに、ステップＳ１０２において、学内の教員端末からも実習テーマの提供を受け、実習テーマ登録手段１１１が受信した実習テーマの信号に基づいて、実習テーマ登録情報１３１を作成する。
【００３０】
このとき、実習テーマ登録手段１１１は、企業担当者端末６又は教員端末に、図９に示すような公募登録画面Ｐ１０１０を提示する。公募登録画面Ｐ１０１においては、定員、科目種別、分類、テーマの目的、実施上の希望などを含む実習テーマに関する情報と、テーマを登録する担当者の企業名、担当者名、電子メールアドレスなどの企業担当者に関する情報とを入力させる。登録ボタンＢ１０１がクリックされると、公募登録画面Ｐ１０１で入力された情報に基づく信号がプロジェクト科目支援サーバ１に送信され、実習テーマ登録手段１１１が受信し、実習テーマ登録情報１３１に登録される。
【００３１】
次に、ステップＳ１０３において、実習テーマ登録手段１１１は、実習テーマ登録情報１３１を読み出し、管理者端末２において、実習テーマの取捨選択を行う。管理者端末２において正当であると判断された実習テーマに基づいて、実習テーマ詳細情報１３２を作成し、登録する。
【００３２】
一方、ステップＳ１０３において、当該企業担当者端末６からの登録が初めてであった場合、実習テーマ登録情報１３１に含まれる企業担当者に関する情報を読み出し、企業担当者情報１３５に登録する。
【００３３】
更に、ステップＳ１０６において、実習テーマ登録手段１１１によって実習テーマ詳細情報１３２を読み出し、実習テーマ概要情報１３１を生成して、ステップＳ１０７においてデータ記憶装置１３０に蓄積され管理される。
【００３４】
次に、図１０乃至図１２を参照して実習テーマ登録手段１１１が提示する画面の一例を説明する。
【００３５】
ステップＳ１０３において、実習テーマ登録手段１１１は、管理者端末２に図１０に示すような未登録テーマ一覧画面Ｐ１０２を提示する。未登録テーマ一覧画面Ｐ１０２においては、企業担当者端末６などから受信した実習テーマに基づく情報のうち、実習テーマ詳細情報１３２及び実習テーマ概要情報１３３に登録されていない情報の一覧を提示する。管理者端末２においてこの未登録テーマ一覧画面Ｐ１０２を参照させ、所定の実習テーマについて詳細リンクＬ１０１がクリックされると、図１１に示すようなテーマ登録確認画面Ｐ１０３を提示する。このテーマ登録確認画面Ｐ１０３に提示された情報に基づいて、実習テーマとして相応しいか否かを判定し、相応しいと判定された場合、管理者端末２において登録ボタンＢ１０２がクリックされると、この実習テーマの情報に基づいて、実習テーマ詳細情報１３２及び実習テーマ概要情報１３３へ登録される。
【００３６】
更に、実習テーマ登録手段１１１は、実習テーマを実習テーマ詳細情報１３２及び実習テーマ概要情報１３３に登録する際、それぞれの実習テーマについて、学生端末３からの申込を受け付ける学生割当期間を設定するために、図１２に示すような学生割当期間設定画面Ｐ１０４を提示する。所定の実習テーマについて、設定リンクＬ１０２がクリックされると、その実習テーマを第１希望とする学生を割り当てる期間、第２希望とする学生を割り当てる期間、第３希望とする学生を割り当てる期間のそれぞれが管理者端末２を介して入力され、その入力信号に基づいて実習テーマ登録手段１１１は、実習テーマ詳細情報１３２に登録する。
【００３７】
（実習テーマ選択手段）
実習テーマ選択手段１１２は、図１３に示すように、学生端末３からの閲覧リクエストに応じて実習テーマ登録情報１３１を読み出し学生端末３に提示する信号を生成して送信するとともに、学生端末３から実習テーマの申込に基づく信号を受信し、実習テーマのの申込信号に基づいてそれぞれの学生が申し込んだ実習テーマに基づいて申込情報１３４を作成してデータ記憶装置に記憶する手段である。更に、学生が実習する実習テーマが決定されると、その学生が実習履歴を登録する実習履歴１３６を生成し、データ記憶装置１３０に登録する。
【００３８】
ここで、学生端末３から申し込まれた実習テーマの信号を受信する度に、登録人数をインクリメントし、学生端末３からの閲覧リクエストに応じて実習テーマ登録情報１３１を読み出し学生端末３に提示する際に、登録人数及び定員数に基づく信号も送信し学生端末３に提示するのが好ましい。
【００３９】
実習テーマ選択手段１１２は、学生端末３に実習テーマを提示して実習テーマの申込を行わせ、学生端末３、企業担当者端末６及び担当教員端末４の三者の合意により実習が開始されるまでの処理を行う。学生端末３において学生は公開されている実習テーマ概要情報１３３及び実習テーマ詳細情報１３２に基づいて、自らが希望するテーマを選択する。
【００４０】
申込情報１３４は、図１４に示したデータ構造を備え、学生が学生端末３から、実習テーマを申し込む際に登録される情報である。このとき学生に、第１希望から第３希望までの実習テーマを選択させ、申込情報１３４に登録される。
【００４１】
実習履歴１３６は、図１５に示したデータ構造を備え、学生端末３と企業担当者端末６と担当教員端末４との間で共有される情報であって、学生の実習状況や進捗状況などが記録される。この実習履歴１３６には、プレゼンテーションに用いるファイルや実習の仕様書や業務指示書などのドキュメントなどに関連づけられても良い。
【００４２】
次に図１３を参照して、実習テーマ選択手段１１２の処理について詳述する。  
まず、ステップＳ２０１において、学生端末３に実習テーマ概要情報１３３に基づく信号を送信して、学生端末３の表示装置に提示する。更に、ステップＳ２０２において、学生がより興味を持った実習テーマに基づく信号を受信すると、実習テーマ選択手段１１２は、実習テーマ詳細情報１３２から当該実習テーマに関する情報を読み出し、学生端末３に送信する。ステップＳ２０１及びステップＳ２０２において提示された情報に基づいて、ステップＳ２０３において学生端末３は、特定の実習テーマを選択し、学生端末３からプロジェクト科目支援サーバ１に特定の実習テーマに基づく信号を送信する。これに対応して、実習テーマ選択手段１１２は、ステップＳ２０４において、特定の実習テーマに基づく信号を受信し、申込情報１３４を作成してデータ記憶装置１３０に登録する。
【００４３】
次に、その実習テーマの担当教員端末４において、実習テーマに対する学生の割り振り及び実習の開始を行うために、定期的に申込情報１３４が提示される。担当教員端末４において申込情報１３４が提示されると、ステップＳ２０５において、担当教員端末４において学生の適正等を判断して、一次選抜を行う。一次選抜に合格した学生について、ステップＳ２０６において、企業に承認依頼を行う。
【００４４】
希望する学生数が多いテーマなどは、ステップＳ２０７において、一次選抜の後に二次選抜を実施する。二次選抜に合格した学生について、ステップＳ２０８において企業担当者に向けてのプレゼンテーションが実施され、ステップＳ２０９において、企業に承認依頼を行う。
【００４５】
承認依頼が行われると、ステップＳ２１０において、企業担当者に対して承認提示を提示し、企業担当者は、ステップＳ２１１において、担当教員からの承認依頼に対して、実習テーマに相応しい学生か否かを回答する。
【００４６】
企業担当者によって承認された場合、ステップＳ２１２において、担当教員により実習開始操作がシステム上で実行される。このとき、ステップＳ２１３において、実習する学生が決定したので、実習テーマ詳細情報１３２を更新し、ステップＳ２１４において、その学生に関する実習履歴１３６を格納するための領域がデータ記憶装置１３０に確保される。
【００４７】
ステップＳ２０６における一次選抜で不合格になった場合、ステップＳ２１５において、担当教員は学生を別の実習テーマに割り当てる調整を行う。
【００４８】
ステップ２１１における企業担当者により承認が得られなかった場合、ステップＳ２１６においてもステップＳ２１５と同様に調整を行う。
【００４９】
ステップＳ２０７における二次選抜において不合格になった場合、ステップＳ２１７においてもステップＳ２１５と同様に調整を行う。
【００５０】
ステップＳ２１５、ステップＳ２１６及びステップＳ２１７において適切な実習テーマに割り当てることができた場合、ステップＳ２１８において、企業担当者への承認依頼を行う。一方、適切な実習テーマに割り当てることができなかった場合、ステップＳ２１９において、再度学生に実習テーマを閲覧させ、申込を行わせる。
【００５１】
学生端末３により、申し込んだ実習テーマのキャンセルの信号を受信すると、ステップＳ２２０において、申込情報１３４を更新或いは削除する。
【００５２】
次に、図１６乃至図２０を参照して実習テーマ選択手段１１２が提示する画面の一例を説明する。
【００５３】
ステップＳ２０１において、学生に実習テーマを閲覧させる場合、実習テーマ選択手段１１２は、所定の条件に基づいて実習テーマ概要情報１３３を読み出して検索し、その条件に適合する実習テーマを抽出し、図１６に示すような検索結果表示画面Ｐ２０１を提示する。この検索結果表示画面Ｐ２０１は、申込状況表示部２０１を備えており、第１希望で申し込んだ学生数、第２希望で申し込んだ学生数、第３希望で申し込んだ学生数と定員が表示される。例えば、「１＋０＋０／３」と提示されている場合、第１希望で申し込んだ学生数は１、第２希望、第３希望で申し込んだ学生数は０、定員が３であることを示す。既に申し込んだ実習テーマについては、その実習テーマに対応して希望順位が提示される。既に申し込んだ実習テーマをキャンセルする場合、キャンセルする実習テーマに対応した取消リンクＬ２０２をクリックする。
【００５４】
図１６に示した検索結果表示画面Ｐ２０１において、学生が申込を行う場合、学生端末３において該当する実習テーマに関連する申込リンクＬ２０１がクリックされると、学生端末３に図１７に示すテーマ申込画面Ｐ２０２が提示される。テーマ申込画面Ｐ２０２を参照して、学生端末３においてテーマ概要、担当教員、店員、希望期間、科目種別などを確認した上で、その実習テーマに申し込む場合、希望順位選択部２０２において希望順位を選択させ、申込ボタンＢ２０１がクリックされると、実習テーマ選択手段Ｐ１１２は、申込情報１３４を作成し、データ記憶装置１３０に登録する。
【００５５】
ステップＳ２０５などにおいて、担当教員端末４において学生を調整する場合、図１８に示すような学生割当一覧画面Ｐ２０３が提示される。学生割当一覧画面Ｐ２０３は、そのテーマ及び申込順位ごとに申込人数、決定人数及び定員を示す割当状況表示部２０３を備えている。担当教員端末４において割当状況表示部２０３を閲覧して、学生が担当する実習テーマを調整する。
【００５６】
ステップＳ２１４において担当教員端末４において学生を割り当てる場合、図１９に示すようなテーマ開始設定画面Ｐ２０４が提示される。テーマ開始設定画面Ｐ２０４において、このテーマに割り当てられた学生数及び申込した学生数が、希望順位ごとに記憶される。申込数が０でない場合、割当ボタンＢ２０３が提示され、担当教員端末４において割当ボタンＢ２０３がクリックされると、図２０に示すような学生割当画面Ｐ２０５が提示される。ここで、学生割当チェックボックス２０４において割り当てる学生を選択した上で割当ボタンＢ２０４がクリックされると、実習テーマ詳細情報１３２を更新し、割り当てられたそれぞれの学生に関する実習履歴１３６を格納するための領域がデータ記憶装置１３０に確保される。
【００５７】
（実習手段）
実習手段１１３は、図２１に示すように、学生から実習テーマに関する進捗情報を含む信号を受信し、受信日時に関連づけてデータ記憶装置１３０に実習履歴１３６として記憶するとともに、学生端末３、企業担当者端末６及び担当教員端末４からの閲覧リクエストに応じて実習履歴１３６を読み出しそれぞれの端末に提示する信号を生成して送信する手段である。実習手段１１３は、学生端末から入力された進捗の信号に基づいて進捗情報１３７を更新してデータ記憶装置１３０に登録し、学生端末３から送信された成果物を受信し、実習成果物１３８としてデータ記憶装置１３０に登録する。にこれにより、実習手段１１３は、実習テーマに基づいて、企業及び学生、担当教員によるコラボレーションを行い、実習を行う。
【００５８】
進捗情報１３７は、図２２に示したデータ構造を備え、担当教員が実習の進捗状況を判断できるように、学生により入力された情報が記憶されている。
【００５９】
実習成果物１３８は、図２３に示すようなデータ構造を備え、学生と企業の間のコラボレーションの結果、最終的に纏められた成果物に関する信号が記憶されている。この成果物は作成に関与した学生端末３、企業担当者端末６、評価を行う担当教員端末４が参照することができる。
【００６０】
次に図２１を参照して、実習手段１１３の処理について詳述する。  
まずステップＳ３０１において、学生端末３、企業担当者端末６及び担当教員端末４のいずれかによって、実習履歴１３６が登録されることにより、コラボレーションがスタートする。ここで実習履歴１３６は、所謂電子掲示板形式で、学生、企業担当者、担当教員が任意に書き込める形式であるのが好ましい。
【００６１】
この実習履歴１３６への登録は、テーマ実習期間中、ステップＳ３０２において必要に応じて行われる。一方、ステップＳ３０３においてコラボレーションの結果としての実習成果物１３８を精製し、データ記憶装置１３０に登録する。
【００６２】
ステップＳ３０４において、学生端末３により逐次、実習の進捗に基づく信号を受信し、進捗情報１３７を更新してデータ記憶装置１３０に登録する。一方、ステップＳ２０５において、担当教員端末４において定期的に進捗情報１３７を参照し、進捗情報１３７、実習成果物１３８に登録された除法に基づいて演習の完了を判断する。
【００６３】
当該実習テーマが開発型プロジェクトの場合、ステップＳ２０６において企業担当者端末６においても進捗状況を提示し、ステップＳ３０７において、企業担当者端末６は、担当教員端末４へ当該実習の進捗状況に基づく信号を送信する。担当教員端末４において、進捗確認に基づいて、ステップＳ３０８において、必要に応じて学生に助言を与える。
【００６４】
担当教員端末４において進捗情報１３７及び実習成果物１３８を参照した結果、演習を完了できたと判断した場合、ステップＳ３０９において、評価段階に移行する。
【００６５】
次に、図２４を参照して実習手段１１３が提示する画面の一例を説明する。
【００６６】
ステップＳ３０３において、学生端末３などから成果物を実習成果物１３８に登録する場合に提示する成果物登録画面Ｐ３０１である。成果物登録画面Ｐ３０１において、テーマ名、テーマ概要などの実習テーマに関する情報と、成果物のタイトル、コメントなどその実習中に発生した成果物に関する情報とを入力させる。又、文書ファイル、画像ファイルなどの電子ファイルについては、アップロードボタンＢ３０１をクリックさせることにより、当該電子ファイルを学生端末３などからプロジェクト科目支援サーバ１のメモリにアップロードすることができる。登録ボタンＢ３０２がクリックされると、成果物登録画面Ｐ３０１で入力された情報と、アップロードされメモリに格納された電子ファイルが、実習成果物１３８に登録される。
【００６７】
（評価手段）
評価手段１１４は、図２５に示すように、企業担当者端末６から学生の評価に基づく信号を受信し、更に実習履歴１３６を読み出して担当教員端末４に提示するとともに、学生に対する評価に基づく信号を担当教員端末４から受信してデータ記憶装置１３０に評価情報１４０として記憶する手段である。
【００６８】
評価手段１１４は、実習の終了後の担当教員による評価並びに、本実習の成果物を実習事例ライブラリ１３９に登録して、学内研究者及び学生、一般の市民が参照できるようにするためのプロセスである。又、本演習の終了後に企業担当者から評価シートが担当教員あてに提示され、この評価シートも担当教員による学生の評価材料の一つとなる。実習事例ライブラリ１３９に登録された実習成果物のうち、実習テーマ登録時に「公開可」の属性を付与されたものは、一般端末７への公開が許可される。
【００６９】
実習事例ライブラリ１３９は、図２６に示すようなデータ構造を備え、実習の結果生成された生成物の集合が記憶されている。この情報は、学内及び学外から参照できる。
【００７０】
評価情報１４０は、図２７に示すようなデータ構造を備え、学生による実習の評価結果が記憶されている。この情報は、担当教員端末４を介して設定され、管理者端末２と担当教員端末４以外の端末からは参照することはできない。
【００７１】
次に、図２５を参照して評価手段１１４の処理について詳述する。  
まず、ステップＳ４０１において、企業担当者より評価シートを入力していただき、その入力信号に基づいて、評価シートとしてプロジェクト科目支援サーバ１のメモリに記憶される。
【００７２】
次に、ステップＳ４０２において、担当教員端末４において、評価シート、実習履歴１３６、実習成果物１３８を読み出して参照し、学生による演習の評価を行い、その結果を評価情報１４０に登録する。管理者端末２は、ステップＳ４０４において、評価情報１４０を参照することができる。
【００７３】
一方、ステップＳ４０２において評価されると、評価手段１１４は、ステップＳ４０５及びステップＳ４０６において、実習成果物１３８を実習事例ライブラリ１３９としてデータ記憶装置１３０に登録する。
【００７４】
登録された実習事例ライブラリ１３９のうち、一般公開が許可された実習事例は、ステップＳ４０７において、一般端末７からの閲覧リクエスト信号に応じて、ライブラリを参照させる。
【００７５】
次に、図２８を参照して評価手段１１４が提示するテーマ評価入力画面Ｐ４０１の一例を説明する。
【００７６】
テーマ評価入力画面Ｐ４０１には、テーマ名、テーマ概要、担当教員、担当学生、企業名などのプロジェクトの実習テーマに関する情報が提示され、コメント、目的達成度、レポートのできなどそのプロジェクトの実習に対する評価に関する情報を入力させることができる。登録ボタンＢ４０１がクリックされると、テーマ評価入力画面Ｐ４０１で入力された情報は、評価情報１４０としてデータ記憶装置１３０に登録される。
【００７７】
（プロジェクト科目支援サーバの作用）
本発明の最良の実施の形態に係るプロジェクト科目支援サーバ１において、プロジェクト科目は、教員、企業、学生が様々なテーマで個別に関わっているため、実習テーマ募集、学生の実習テーマへの割当、実習テーマごとの担当教員、企業、学生間の連絡及び進捗管理、課題提出などの管理を支援することができる。学生は各自の所有しているコンピュータからプロジェクト科目支援サーバ１にアクセスし、連絡事項の伝達、課題の提出をシステム上で行うことができる。
【００７８】
これにより、プロジェクト科目の評価を行う担当教員は、実習に関する情報をプロジェクト科目支援サーバ１から提示されるので、学生の実験実習の取り組みを把握することにより的確に学生を評価できる。
【図面の簡単な説明】
【００７９】
【図１】本発明の最良の実施の形態に係るプロジェクト科目支援サーバの機能ブロック図である。
【図２】本発明の最良の実施の形態に係るプロジェクト科目支援サーバを用いたプロジェクト科目支援システムのシステム構成図である。
【図３】本発明の最良の実施の形態に係るデータ記憶装置に記憶された各データのアクセス制限を示した図である。
【図４】本発明の最良の実施の形態に係る実習テーマ登録手段の処理を示したデータフロー図である。
【図５】本発明の最良の実施の形態に係る実習テーマ登録情報のデータ構造の一例を示した図である。
【図６】本発明の最良の実施の形態に係る実習テーマ詳細情報のデータ構造の一例を示した図である。
【図７】本発明の最良の実施の形態に係る実習テーマ概要情報のデータ構造の一例を示した図である。
【図８】本発明の最良の実施の形態に係る企業担当者情報のデータ構造の一例を示した図である。
【図９】本発明の最良の実施の形態に係る実習テーマ登録手段が提示する公募登録画面の一例である。
【図１０】本発明の最良の実施の形態に係る実習テーマ登録手段が提示する未登録テーマ一覧画面の一例である。
【図１１】本発明の最良の実施の形態に係る実習テーマ登録手段が提示するテーマ登録確認画面の一例である。
【図１２】本発明の最良の実施の形態に係る実習テーマ登録手段が提示する学生割当期間設定画面の一例である。
【図１３】本発明の最良の実施の形態に係る実習テーマ選択手段の処理を示したデータフロー図である。
【図１４】本発明の最良の実施の形態に係る申込情報のデータ構造の一例を示した図である。
【図１５】本発明の最良の実施の形態に係る実習履歴のデータ構造の一例を示した図である。
【図１６】本発明の最良の実施の形態に係る実習テーマ選択手段が提示する検索結果表示画面の一例である。
【図１７】本発明の最良の実施の形態に係る実習テーマ選択手段が提示するテーマ申込画面の一例である。
【図１８】本発明の最良の実施の形態に係る実習テーマ選択手段が提示する学生割当一覧画面の一例である。
【図１９】本発明の最良の実施の形態に係る実習テーマ選択手段が提示するテーマ開始設定画面の一例である。
【図２０】本発明の最良の実施の形態に係る実習テーマ選択手段が提示する学生割当画面の一例である。
【図２１】本発明の最良の実施の形態に係る実習手段の処理を示したデータフロー図である。
【図２２】本発明の最良の実施の形態に係る進捗情報のデータ構造の一例を示した図である。
【図２３】本発明の最良の実施の形態に係る実習成果物のデータ構造の一例を示した図である。
【図２４】本発明の最良の実施の形態に係る実習手段が提示する成果物登録画面の一例である。
【図２５】本発明の最良の実施の形態に係る評価手段の処理を示したデータフロー図である。
【図２６】本発明の最良の実施の形態に係る実習事例ライブラリのデータ構造の一例を示した図である。
【図２７】本発明の最良の実施の形態に係る評価情報のデータ構造の一例を示した図である。
【図２８】本発明の最良の実施の形態に係る評価手段が提示するテーマ評価入力画面の一例である。
【符号の説明】
【００８０】
１…プロジェクト科目支援サーバ、２…管理者端末、３、３ａ、３ｂ…学生端末、４…担当教員端末、５…ファイアウォール、６…企業担当者端末、７…一般端末、８…学内ネットワーク、９…学外ネットワーク、１００…中央処理制御装置、１０１…プログラムロード手段、１０２…データベース管理手段、１１０…アプリケーション実行手段、１１１…実習テーマ登録手段、１１２…実習テーマ選択手段、１１３…実習手段、１１４…評価手段、１２０…アプリケーションプログラム記憶装置、１２１…実習テーマ登録プログラム、１２２…実習テーマ選択プログラム、１２３…実習プログラム、１２４…評価プログラム、１３０…データ記憶装置、１３１…実習テーマ登録情報、１３２…実習テーマ詳細情報、１３３…実習テーマ概要情報、１３４…申込情報、１３５…企業担当者情報、１３６…実習履歴、１３７…進捗情報、１３８…実習成果物、１３９…実習事例ライブラリ、１４０…評価情報、１５１…通信制御装置、１５２…入力装置、１５３…表示装置、１５４…入出力制御装置、２０１…申込状況表示部、２０２…希望順位選択部、２０３…割当状況表示部、２０４…学生割当チェックボックス
【図１】
2005228253.tif 000003
【図２】
2005228253.tif 000004
【図３】
2005228253.tif 000005
【図４】
2005228253.tif 000006
【図５】
2005228253.tif 000007
【図６】
2005228253.tif 000008
【図７】
2005228253.tif 000009
【図８】
2005228253.tif 000010
【図９】
2005228253.tif 000011
【図１０】
2005228253.tif 000012
【図１１】
2005228253.tif 000013
【図１２】
2005228253.tif 000014
【図１３】
2005228253.tif 000015
【図１４】
2005228253.tif 000016
【図１５】
2005228253.tif 000017
【図１６】
2005228253.tif 000018
【図１７】
2005228253.tif 000019
【図１８】
2005228253.tif 000020
【図１９】
2005228253.tif 000021
【図２０】
2005228253.tif 000022
【図２１】
2005228253.tif 000023
【図２２】
2005228253.tif 000024
【図２３】
2005228253.tif 000025
【図２４】
2005228253.tif 000026
【図２５】
2005228253.tif 000027
【図２６】
2005228253.tif 000028
【図２７】
2005228253.tif 000029
【図２８】
2005228253.tif 000030